(57)【要約】【課題】非使用時に表示部等の機能部が外側に向くことによる不都合を防止した、携帯電話等の携帯製品を提供する。【解決手段】カバー４が回動機構部３を介して装置本体２に取り付けられた携帯製品１である。回動機構部３と装置本体２との間には回動機構部３を装置本体２の面方向に回動させる第１回動部が設けられ、カバー４と回動機構部３との間には回動機構部３に対してカバー４を回動させるための第２回動部が設けられている。第２回動部は第１回動部の回動力が伝達されることで回動するよう構成され、これによってカバー４は、カバー４が装置本体３の第１機能部７上に位置しているときにその第２機能部１０を第１機能部７側に向け、カバー４が装置本体３の面方向に回動して第１回動部の回動力が第２の回動部に伝達されると、その第２機能部１０が第１機能部７と反対の側に向くように回動するよう構成されている。【選択図】    図５
2005026852.tif 000002
【特許請求の範囲】
【請求項１】
一方の面を第１機能面とし、この第１機能面に操作部と表示部との少なくとも一方を有してなる第１機能部を形成した装置本体と、該装置本体の前記第１機能面側に設けられ、一方の面を第２機能面とし、この第２機能面に操作部と表示部との少なくとも他方を有してなる第２機能部を形成したカバーと、を備えてなる携帯製品であって、
前記カバーが、前記装置本体に設けられた回動機構部を介して前記装置本体に取り付けられてなり、
前記回動機構部と前記装置本体との間には、回動機構部を装置本体の第１機能面の面方向に回動させる第１回動部が設けられ、
前記カバーと前記回動機構部との間には、回動機構部に対してカバーを回動させるための第２回動部が設けられ、前記カバーは該第２回動部の回動軸の一方の側に設けられ、かつ前記回動機構部は該第２回動部の回動軸の他方の側に設けられたことにより、前記カバーは前記回動機構部に対してこの回動軸の軸線回りに回動するよう構成されてなり、
前記第２回動部は第１回動部の回動力が伝達されることで回動するよう構成され、これによって前記カバーは、該カバーが装置本体の第１機能面上に位置しているときにその第２機能面を第１機能面側に向け、カバーが装置本体の第１機能面の面方向に回動して第１回動部の回動力が第２の回動部に伝達されると、その第２機能面が第１機能面と反対の側に向くように回動するよう構成されてなることを特徴とする携帯製品。
【請求項２】
前記第１回動部および第２回動部はそれぞれギアを備えて形成され、これらは互いに歯合していることで第２回動部に第１回動部の回動力が伝達されるよう構成されていることを特徴とする請求項１記載の携帯製品。
【請求項３】
前記第１回動部および第２回動部には、それぞれその中心軸となる位置に貫通孔が形成されてなり、
前記装置本体とカバーとの間に電気的接続をなす配線が設けられ、
前記配線は、前記第１回動部の貫通孔と第２回動部の貫通孔とをそれぞれ通るよう引き回されて配設されてなり、
前記配線には、前記第１回動部の貫通孔内又はその近傍においてその回動方向に巻回されてなる第１巻回部が設けられ、かつ、前記第２回動部の貫通孔内又はその近傍においてその回動方向に巻回されてなる第２巻回部が設けられ、
これら第１巻回部および第２巻回部は、それぞれ対応する回動部が正方向に回動した際に展開し、逆方向に回動した際に元の巻回された状態に復帰するよう構成されてなることを特徴とする請求項１又は２記載の携帯製品。
【請求項４】
前記装置本体と前記回動機構部との間に、装置本体に対する回動機構部の回動方向および回動量を規制する規制手段が設けられていることを特徴とする請求項１〜３のいずれか一項に記載の携帯製品。
【発明の詳細な説明】
【０００１】
【発明の属する技術分野】
本発明は、携帯電話等の携帯製品に関する。
【０００２】
【従来の技術】
携帯製品として特に携帯電話は、その普及が急速にしかも広範囲にわたってなされ、これに伴って種々の形態のものが提供されている。当初においては、キー操作部と受話部および送話部、さらに液晶等による表示部も一体に形成されたものが主流であった。ところが、このような一体型では全体が大きくなってしまうことで携帯性が悪く、したがって、その後これをコンパクト化する改良が種々なされている。
【０００３】
このようなコンパクト化を行ったものとして、例えばスライド開閉するカバーでキー操作部を覆う構造のもの（例えば、特許文献１参照）や、電話本体に対してカバーを開閉できるようにした二つ折りタイプのものが提供されている。
さらに、近時、電話本体に対してカバーを水平方向（電話本体の面方向）に１８０°回動させることにより、電話本体の内面側に形成された操作部を開けることができるようにしたものも提供されている。このタイプのものでは、非使用時においてもカバーに設けられた表示部が外側を向くことにより、デザイン性に優れ、また使用時には例えば片手で簡単にカバーを開くことができることにより、操作性に優れたものとなっている。
【０００４】
【特許文献１】
特開２００１−１１９４５６号公報
【０００５】
【発明が解決しようとする課題】
しかしながら、前記のカバーを水平方向に回動させることによって操作部を開けるタイプのものでは、カバーを閉じた状態、すなわち非使用時にも表示部が外側を向いていることでデザイン的には斬新である反面、表示部が非使用時にも外側を向いていることでこれの保護が十分に配慮されていないといった問題がある。すなわち、非使用時において不測に表示部をぶつけ、表示面に傷をつけてしまったり、これを汚すことで表示部としての機能を損なってしまったり、雨に濡らしてしまうなどの問題がある。特に、液晶によって表示部が形成されている場合、この表示部は機械的衝撃に対して弱く、また耐水性も十分ではないことから、このような問題の解決が強く要望されている。
【０００６】
本発明は前記事情に鑑みてなされたもので、その目的とするところは、本体に対してカバーを水平方向に回動させることで、例えば片手で簡単にカバーを開くことができるなど良好な操作性を有し、しかも非使用時に表示部等の機能部が外側に向くことによる不都合を防止した、携帯電話等の携帯製品を提供することにある。
【０００７】
【課題を解決するための手段】
本発明の携帯製品では、一方の面を第１機能面とし、この第１機能面に操作部と表示部との少なくとも一方を有してなる第１機能部を形成した装置本体と、該装置本体の前記第１機能面側に設けられ、一方の面を第２機能面とし、この第２機能面に操作部と表示部との少なくとも他方を有してなる第２機能部を形成したカバーと、を備えてなる携帯製品であって、前記カバーが、前記装置本体に設けられた回動機構部を介して前記装置本体に取り付けられてなり、前記回動機構部と前記装置本体との間には、回動機構部を装置本体の第１機能面の面方向に回動させる第１回動部が設けられ、前記カバーと前記回動機構部との間には、回動機構部に対してカバーを回動させるための第２回動部が設けられ、前記カバーは該第２回動部の回動軸の一方の側に設けられ、かつ前記回動機構部は該第２回動部の回動軸の他方の側に設けられたことにより、前記カバーは前記回動機構部に対してこの回動軸の軸線回りに回動するよう構成されてなり、前記第２回動部は第１回動部の回動力が伝達されることで回動するよう構成され、これによって前記カバーは、該カバーが装置本体の第１機能面上に位置しているときにその第２機能面を第１機能面側に向け、カバーが装置本体の第１機能面の面方向に回動して第１回動部の回動力が第２の回動部に伝達されると、その第２機能面が第１機能面と反対の側に向くように回動するよう構成されてなることを前記課題の解決手段とした。
【０００８】
この携帯製品によれば、装置本体とカバーとの間に回動機構部を設け、この回動機構部に第１回動部と第２回動部とを設け、第１回動部の回動力が伝達されることで第２回動部が回動するよう構成したので、カバーが装置本体の第１機能面上に位置しているときにその第２機能面を第１機能面側に向くようにしておけば、回動機構部を装置本体の第１機能面の面方向に回動させて第１回動部の回動力を第２の回動部に伝達させることで、その第２機能面が第１機能面と反対の側に向くようにカバーを回動させることができる。
【０００９】
また、前記の携帯製品においては、前記第１回動部および第２回動部はそれぞれギアを備えて形成され、これらは互いに歯合していることで第２回動部に第１回動部の回動力が伝達されるよう構成されているのが好ましい。
このようにすれば、簡易な構成で第１回動部の回動力を第２回動部に伝達させることが可能になる。
【００１０】
また、前記の携帯製品においては、前記第１回動部および第２回動部には、それぞれその中心軸となる位置に貫通孔が形成されてなり、前記装置本体とカバーとの間に電気的接続をなす配線が設けられ、前記配線は、前記第１回動部の貫通孔と第２回動部の貫通孔とをそれぞれ通るよう引き回されて配設されてなり、前記配線には、前記第１回動部の貫通孔内又はその近傍においてその回動方向に巻回されてなる第１巻回部が設けられ、かつ、前記第２回動部の貫通孔内又はその近傍においてその回動方向に巻回されてなる第２巻回部が設けられ、これら第１巻回部および第２巻回部は、それぞれ対応する回動部が正方向に回動した際に展開し、逆方向に回動した際に元の巻回された状態に復帰するよう構成されてなるのが好ましい。
【００１１】
このようにすれば、装置本体とカバーとの間の配線を、装置本体と回動機構部との間を連結する第１回動部、および回動機構部とカバーとの間を連結する第２回動部のそれぞれの貫通孔を通すことで引き回しているので、別に配線の経路を設ける必要がないため省スペース化が図られたものとなる。また、各回動部の回動により、対応する巻回部がこれに連れ回りすることで展開しあるいは元の巻回された状態に復帰するようにしたので、カバーの回動によって配線に不測のよじれ等が生じ、これに起因して配線に断線等の不都合が生じるのが防止される。
【００１２】
また、前記の携帯製品においては、前記装置本体と前記回動機構部との間に、装置本体に対する回動機構部の回動方向および回動量を規制する規制手段が設けられているのが好ましい。
このようにすれば、例えば回動方向を一定方向とすることで不測にカバーが開いてしまうことが防止され、また回動量を規制することで最も使い勝手の良い状態、すなわち使用状態となる位置でカバーの回動が停止するよう構成することが可能になる。
【００１３】
【発明の実施の形態】
以下、本発明の携帯製品を詳しく説明する。
図１〜図５は本発明の携帯製品を携帯電話に適用した場合の一実施形態を示す図であり、これらの図において符号１は携帯電話である。この携帯電話１は、装置本体２とこれに設けられた回動機構部３を介して装置本体１に取り付けられたカバー４とを備えてなるものである。
【００１４】
装置本体２は、図５（ａ）に示すようにその内面側に操作部５と送話孔６とからなる第１機能部７を有した直本体状のもので、この第１機能部７を形成した内面を第１機能面２ａとしたものである。カバー４は、その一方の面側に液晶ディスプレイ等の表示部８と受話孔９とからなる第２機能部１０を有した直方体状のもので、この第２機能部１０を形成した面を第２機能面４ａとしたものである。
回動機構部３は、前記装置本体２の長辺方向における一方の側において、第１機能面２ａ側に配置され取り付けられたもので、その一方の側部にて前記カバー４と連結したものである。
【００１５】
ここで、前記装置本体２には、図１（ｂ）、図５（ｂ）に示すようにそのケース２ｂに装置本体２の取り付け用の孔１１が形成されており、ケース２ｂの外面側には、孔１１を覆うようにして取付ブラケット１２が取り付けられ、螺子等によって固定されている。取付ブラケット１２は、図１（ａ）に示すように略円板状のもので、その外周部に一部を切り欠いてなる切欠部１２ａを形成したものであり、切欠部１２ａ近傍に係合部１３を形成したものである。係合部１３は、取付ブラッケット１２の外周縁に沿った状態で切欠部１２ａ内に突出して形成されたもので、その先端部には上方、すなわち装置本体２の第１機能面２ａが向く側に立ち上がった状態の係合片１３ａが形成されている。また、取付ブラケット１２には、図１（ｂ）に示したように中心部に孔１２ｂが形成されている。
【００１６】
取付ブラケット１２の孔１２ｂ内には、固定ギア１４が取付固定されている。この固定ギア１４は、前記孔１２ｂ内に挿通された円筒部１４ａと、この円筒部１４ａの上側に形成された円盤部１４ｂとからなるもので、その中心軸となる位置に貫通孔１５を形成し、また、図１（ａ）に示したように円盤部１４ｂ上の一部に該円盤部１４ｂの周方向沿ってギア部１４ｃを形成したものである。円筒部１４ａは、前述したように孔１２ｂ内に挿通されたもので、図１（ｂ）に示したように孔１２ｂから装置本体２側に突出した下端部には、トルク調整板１６と固定ブロック１７とがこの順に外挿されている。円盤部１４ｂは、取付ブラケット１２の孔１２ｂより大径に形成されたもので、円筒部１４ａ側に小径部１４ｄが形成され、その上に前記ギア部１４ｃを有した大径部１４ｅが形成されている。
【００１７】
このような構成のもとに固定ギア１４は、取付ブラケット１２の下側（装置本体２側）にて円筒部１４ａに固定ブロック１７が嵌められ、取付ブラケット１２の上側（回動機構部３側）で円盤部１４ｂが取付ブラケット１２上に載ることにより、取付ブラケット１２に保持固定されたものとなっている。
なお、トルク調整板１６は、固定ブロック１７によって取付ブラケット１２側に押さえ付けられることで、その反力として固定ブロック１７を介して固定ギア１４を取付ブラケット１２側に引っ張る力を発生させる。その結果、この固定ギア１４を介してブッシュ１８も取付ブラケット１２側に引っ張られることになり、これによってブッシュ１８が取付ブラケッット１２に押し付けられるようになる。したがって、トルク調整板１６はこのようにブッシュ１８を取付ブラケッット１２に押し付けさせるように作用することから、装置本体２と回動機構部３との間にトルクを発生させるものとなる。すなわち、ブッシュ１８は後述するように回転ブラケット１９とともに回動することから、回転ブラケット１９が回転したとき、ブッシュ１８が取付ブラケッット１２に押し付けられていることで、トルクが発生するのである。
【００１８】
なお、前記ギア部１４ｃは、後述する回動ギアのギア部に歯合するよう形成配置されたもので、円盤部１４ｂの周縁部上にてその周方向に沿って形成されたものである。また、本例のギア部１４ｃは、円盤部１４ｂの全周に亘って形成されたものではなく、約１／３周分程度に亘って形成されたものである。
【００１９】
取付ブラケット１２の上側、すなわち回動駆動部３内には、固定ギア１４の外周側にブッシュ１８が回転可能に設けられ、さらにこのブッシュ１８には回転ブラケット１９が取り付け固定されている。ブッシュ１８は円環状のもので、その内周側が固定ギア１４の小径部１４ｄに外挿されて取付ブラケット１２と大径部１４ｅとの間に回転可能に挟持されたものである。このブッシュ１８には、その外周面に周方向に沿って取付溝１８ａが形成されており、この取付溝１８ａには前記回転ブラケット１９が固定されている。
【００２０】
回転ブラケット１９は、ブッシュ１８に嵌められるための円孔１９ａをその内部（略中心部）に形成した角板状のもので、図１（ａ）に示したように前記円孔１９ａの外側に、前記取付ブラケット１２の周方向に沿う開口１９ｂを形成したものである。開口１９ｂは、前記取付ブラケット１２に形成された係合片１３ａを通過させてこれを上側に突出させた円弧状のもので、後述するように回転ブラケット１９が取付ブラケット１２上を回動する際、係合片１３ａに案内されるよう形成されたものである。ここで、この開口１９ｂは、本例では前記固定ギア１４の中心軸を中心とした略半円のなす円弧、すなわち中心角を１８０°とする扇形（半円）の円弧に相当する、形状・大きさに形成されたものである。
なお、装置本体２に取付ブラケット１２を介して固定された固定ギア１４と、これに対して回転可能に設けられたブッシュ１８及び回転ブラケット１９とを備えて、本発明における第１回動部が構成されている。
【００２１】
また、回転ブラケット１９の一辺、すなわち前記開口１９ｂを形成した側の辺には、図１（ｂ）に示したようにその上面側に立ち上がってなる保持部１９ｃが形成されており、この保持部１９ｃにはブッシュ２０が保持固定されている。ブッシュ２０は、回動機構部３を形成するケース３ａを貫通して取り付けられた円筒状のもので、その側面で前記保持部１９ｃ及びケース３ａに保持固定されたものであり、その孔内に回動ギア２１を回動可能に挿通させたものである。
【００２２】
回動ギア２１は、ブッシュ２０の孔内に摺動可能に挿通された円筒部２１ａと、この円筒部２１ａの一端側に形成されたギア部２１ｂとからなるもので、ギア部２１ｂがブッシュ２０の孔より大径に形成されたことにより、このギア部２１ｂがブッシュ２０の外側（一端側）に配置させられたものである。なお、ギア部２１ｂにおいても円筒部２１ａにおける孔に連通する孔が形成されており、これによって回動ギア２１は、その中心軸（回動軸）に沿って貫通孔２１ｃが形成されたものとなっている。
【００２３】
ギア部２１ｂは、前記固定ギア１４の円盤部１４ｂの上面周縁部上に位置するように形成された歯車上のもので、前記固定ギア１４のギア部１４ｃに係脱可能に歯合するよう構成されたものである。すなわち、このギア部２１ｂは、後述するように回動機構部３を回動させた際、回転ブラケット１９とともに固定ギア１４を中心として回動し、これによって前記ギア部１４ｃに歯合するようになっている。また、歯合した状態から逆方向に回動することにより、ギア部１４ｃから脱離するようになっている。
【００２４】
ここで、ギア部２１ｂがギア部１４ｃに歯合し、さらにその状態で回転ブラケット１９の回動（正方向の回動）が進むと、これに伴ってギア部２１ｂが回動し、したがって回動ギア２１全体がブッシュ２０内を回動するようになる。
また、この回動ギア２１には、ギア部２１ｂと反対の側にカバー側ブラケット２２が取り付けられており、さらにこれの外側に固定ブロック２３が取り付けられている。このような構成にもとにカバー側ブラケット２２は、前記ブッシュ２０と固定ブロック２３との間に挟持されている。カバー側ブラケット２２は、カバー４のケース４ｂの一部を構成するよう、該ケース４ｂに形成された開口（図示せず）に嵌め込まれた板状のもので、その両側には、図１（ａ）に示したように一対の取付片２２ａ、２２ａが、ケース４ｂ内に延出した状態で形成されている。取付片２２ａ、２２ａは、カバー４内において固定部材（図示せず）に螺子止め等で固定されており、これによって回動ギア２１は、カバー側ブラケット２２を介してカバー４に保持固定されたものとなっている。
【００２５】
このような構成のもとに回動ギア２１は、前述したようにブッシュ２０が回転ブラケット１９の保持部１９ｃとケース３ａとに保持固定されたことにより、ギア部２１ｂ側が回動機構部３側に保持固定されたものとなっており、また反対の側がケース４ｂを貫通したことにより、カバー４に保持固定されたものとなっている。すなわち、回動ギア２１とブッシュ２０及び固定ブロック２３とは、回動機構部３に対してカバー４を回動させるための、本発明における第２回動部を構成するものとなっているのである。
【００２６】
また、前記装置本体２とカバー４との間には、これらの間の電気的接続をなす配線２４が、回動機構部３内を通って設けられている。この配線２４は、前記の固定ギア１４の貫通孔１５を通り、さらに回動ギア２１の貫通孔２１ｃを通って装置本体２側からカバー４側に引き回されたものである。また、この配線２４には、図１（ｂ）、図２（ａ）に示すように固定ギア１４の貫通孔１５内又はその近傍に第１巻回部２４ａが設けられており、さらに回動ギア２１の貫通孔２１ｃ内又はその近傍に第２巻回部２４ｂが設けられている。すなわち、この配線２４は、展開した状態で例えば図２（ｂ）に示すように折曲部を３箇所形成したテープ状のものであり、折曲部間をそれぞれ巻回することで図２（ａ）に示したように第１巻回部２４ａ、第２巻回部２４ｂを形成したものである。
【００２７】
ここで、第１巻回部２４ａは前述した第１回動部の回動方向、すなわち固定ギア１４に対する回転ブラケット１９の回動方向に巻回され、これによって固定ギア１４が正方向に回動した際に展開し、逆方向に回動した際に元の巻回された状態に復帰するよう構成されたものである。同様に、第２巻回部２４ｂは第２回動部の回動方向、すなわち回動ギア１４の回動方向に巻回され、これによって回動ギア２１が正方向に回動した際に展開し、逆方向に回動した際に元の巻回された状態に復帰するよう構成されたものである。なお、この配線２４には、各巻回部２４ａ、２４ｂが対応する回動部の回動によって確実に連れ回りするよう、例えば、巻回部２４ａ、２４ｂの一部を直接あるいは間接的に、前記貫通孔１５（２１ｃ）内に固定するようにしてもよい。
【００２８】
次に、このような構成からなる携帯電話１の動作について説明する。
まず、非使用時には、図１（ｂ）に示したように、すなわち図３（ｂ）中実線で示すように、カバー４を装置本体２の直上に位置させ、これによって装置本体２の第１機能面２ａをカバー４で覆い、これによって第１機能面２ａに形成された操作部５や送話孔６を保護しておく。この状態では、カバー４はその第２機能面４ａ、すなわち表示部８や受話孔９を形成した面が装置本体２側を向くようになっており、結果的に表示部８や受話孔９は装置本体２によって保護されたものとなる。
【００２９】
このような状態から、使用状態に移行するためには、回動機構部３を、装置本体２の第１機能面２ａの面方向に回動する。なお、本例では、図１（ａ）に示した取付ブラケット１２の係合片１３ａと回転ブラケット１９の開口１９ｂとの位置関係から、回動機構部３は図３（ａ）中実線で示した方向にしか、回動しないように規制されている。したがって本例では、この方向、すなわち装置本体２の第１機能面２ａに向かって時計回りに回動する方向を正方向の回動とし、その逆を逆方向の回動としている。
【００３０】
回動機構部３を図３（ａ）中実線で示したように正方向に９０°回動すると、回動機構部３中の回転ブラケット１９も回動する。これに伴い、回転ブラケット１９にブッシュ２０及び回動ギア２１を介して接続されたもカバー４も回動する。すなわち、回転ブラケット１９及び回動ギア２１は、図４（ａ）に示した状態から図４（ｂ）に示した状態に回動する。この間、回動ギア２１のギア部２１ｂは固定ギア１４のギア部１４ｃに歯合していないことから、ギア部１４ｃは固定ギア１４に対する回転ブラケット１９の回動による回動力、すなわち本発明における第１回動部の回動力が第２の回動部である回動ギア２１に伝達されず、したがってカバー４は回動ギア２１の軸線回りに回動しない。
なお、回動機構部３が９０°回動したとき、すなわち図４（ｂ）に示したときに、回動ギア２１のギア部２１ｂが固定ギア１４のギア部１４ｃに歯合するようになっている。また、回転ブラケット１９の回動は、その開口１９ｂと取付ブラケット１２の係合片１３ａとの係合により、その軌道が規制されている。
【００３１】
続いて、回動機構部３を図３（ａ）中一点鎖線で示したようにさらに正方向に回動させ、その回動角を約１３５°にすると、回転ブラケット１９及び回動ギア２１は、図４（ｂ）に示した状態から図４（ｃ）に示した状態に回動する。すると、前述したように回動機構部３が９０°回動した段階で回動ギア２１のギア部２１ｂが固定ギア１４のギア部１４ｃに歯合していることから、ギア部１４ｃは固定ギア１４に対する回転ブラケット１９の回動による回動力、すなわち本発明における第１回動部の回動力を第２の回動部である回動ギア２１に伝達することになり、これによって回動ギア２１は回動し、したがってカバー４も回動ギア２１の軸線回りに回動する。
【００３２】
なお、回動ギア２１のギア部２１ｂと固定ギア１４のギア部１４ｃとは予めそのギア比が決められており、これによって回動ギア２１とこれに固定されたカバー４とは、図４（ｂ）に示した状態から図４（ｃ）に示した状態、すなわち回動角を９０°から１３５°までとする回動により、回動ギア２１の軸線回りに９０°回動するようになっている。ここで、このようにカバー４が軸線回りに９０°回動しても、カバー４は図３（ａ）中一点鎖線で示すように、破線で示した装置本体２の端部とは干渉しないようになっている。
【００３３】
次いで、回動機構部３をさらに正方向に回動させると、図４（ｄ）に示すように取付ブラケット１２の係合片１３ａが回転ブラケット１９の開口１９ｂの一端側の縁部に当接し、これによって正方向の回動が停止させられる。すなわち、本例では、図４（ａ）に示した非使用状態（カバー４が閉じた状態）から図４（ｄ）に示したように約１８０°回動した状態で、回動機構部３の回動が停止させられるよう、その回動が前記開口１９ｂと係合片１３ａとによって規制されているのである。なお、これら開口１９ｂと係合片１３ａとは、本発明において装置本体２に対する回動機構部３の回動方向および回動量を規制する規制手段を構成するものとなっている。
【００３４】
また、このように回動機構部３を正方向に約１８０°回動させると、図３（ａ）中二点鎖線で示したようにカバー４は非使用状態のときに比べて反転し、表示部８や受話孔９を形成した第２機能面４ａが装置本体２の第１機能面２ａと同じ方向に向くようになる。すなわち、図４（ｃ）に示した状態から図４（ｄ）に示した状態に回動すると、固定ギア１４に対する回転ブラケット１９の回動による回動力がギア部１４ｃに伝達されて回動ギア２１が回動し、これによってカバー４がさらに回動ギア２１の軸線回りに回動することにより、前述したようにカバー４が反転した状態、すなわち図５（ａ）、（ｂ）に示すように使用状態となるのである。
【００３５】
したがって、回動機構部３を装置本体２の面方向に規制手段で規制されるまで回動させることにより、単に装置本体２の第１機能面２ａを開くだけでなく、カバー４を使用状態、すなわちその第２機能面４ａを表側に向けることができる。
なお、使用を終え、再度非使用状態に戻したいときには、回動機構部３を逆方向に回動させて図４（ａ）〜（ｄ）に示した動作を逆に行わせることにより、カバー４を軸線回りに１８０°回動させつつ装置本体２の第１機能面２ａ上に被着させることができる。
また、このような動作中において配線２４は、第１巻回部２４ａおよび第２巻回部２４ｂがそれぞれ対応する回動部が正方向に回動した際に展開し、逆方向に回動した際に元の巻回された状態に復帰するようになっているので、カバー４の回動に起因してよじれ等が生じないようになっている。
【００３６】
このような携帯電話１にあっては、回動機構部３に第１回動部と第２回動部とを設け、第１回動部の回動力が伝達されることで第２回動部が回動するよう構成したので、回動機構部３を装置本体２の面方向に回動させることによって単に装置本体２の第１機能面２ａを開くだけでなく、カバー４を使用状態、すなわちその第２機能面４ａを表側に向けることができるようになる。よって、例えば片手で簡単にカバーを開くことができるなど良好な操作性を有したものとなり、しかも、非使用時には表示部８等の第２機能部１０が外側に向くことなく内側、すなわち装置本体２側を向くことで装置本体２に保護されるようになる。
【００３７】
また、配線２４を、各貫通孔１５、２１ｃを通すことで引き回しているので、別に配線用の経路を設ける必要がないため省スペース化による小型化が図られたものとなる。さらに、各巻回部２４ａ、２４ｃを形成したことによって配線２４に不測のよじれ等が生じないようにしたので、これに起因して配線２４に断線等の不都合が生じないようになる。
また、開口１９ｂと係合片１３ａとからなる規制手段を設けたので、例えば回動方向を一定方向とすることで不測にカバー４が開いてしまうことを防止することができ、また回動量を規制することで最も使い勝手の良い状態、すなわち使用状態となる位置でカバー４の回動が停止するよう構成することができる。
【００３８】
なお、本発明は前記実施形態に限定されることなく、本発明の要旨を逸脱しないかぎり種々の変更が可能である。例えば、前記実施形態では第１回動部、第２回動部を、それぞれギアを備えて構成されたものとしたが、本発明はこれに限定されることなく、例えばカム機構を用いることにより、第１回動部の回動力を第２回動部に伝達するよう構成してもよい。
また、前記実施形態では、規制手段を設けてカバーを開く際に一方向（正方向）にしか回動しないようにしたが、規制手段を特に設けず、したがって正逆両方に開くよう構成してもよい。
また、前記実施形態では本発明を携帯電話に適用した場合の例について説明したが、本発明はもちろんこれに限定されることなく、電子手帳や電子辞書、ＰＤＡ等の各種携帯製品にも適用可能である。
【００３９】
【発明の効果】
以上説明したように本発明の携帯製品は、装置本体とカバーとの間に回動機構部を設け、この回動機構部に第１回動部と第２回動部とを設け、第１回動部の回動力が伝達されることで第２回動部が回動するよう構成したものであるから、カバーが装置本体の第１機能面上に位置しているときにその第２機能面を第１機能面側に向くようにしておけば、回動機構部を装置本体の第１機能面の面方向に回動させて第１回動部の回動力を第２の回動部に伝達させることで、その第２機能面が第１機能面と反対の側に向くようにカバーを回動させることができる。よって、例えば片手で簡単にカバーを開くことができるなど良好な操作性を有したものとなり、しかも、非使用時には第２機能部が外側に向くことなく内側、すなわち装置本体側を向くことで装置本体に保護されるようになり、これにより第２機能部を傷や汚れから守ることができる。
【図面の簡単な説明】
【図１】本発明の携帯製品（携帯電話）の一実施形態の、非使用状態を示す図であって、（ａ）は要部を断面視した平面図、（ｂ）は側断面図である。
【図２】（ａ）は配線を説明するための斜視図、（ｂ）は（ａ）に示した配線の展開図である。
【図３】図１に示した携帯電話の使用に際しての動作を説明するための図であって、（ａ）は平面図、（ｂ）は側面図である。
【図４】（ａ）〜（ｄ）は回動機構部における要部の動作を説明するための平面図である。
【図５】図１に示した携帯電話の使用状態を示す図であって、（ａ）は要部を断面視した平面図、（ｂ）は側断面図である。
【符号の説明】
１…携帯電話（携帯製品）、２…装置本体、２ａ…第１機能面、
３…回動機構部、４…カバー、４ａ…第２機能面、５…操作部、
７…第１機能部、８…表示部、１０…第２機能部、１２…取付ブラケット、
１３…係合部、１３ａ…係合片、１４…固定ギア、１５…貫通孔、
１９…回転ブラケット、１９ｂ…開口、２０…ブッシュ、２１…回動ギア、
２１ｃ…貫通孔、２４…配線、２４ａ…第１巻回部、２４ｂ…第２巻回部
【図１】
2005026852.tif 000003
【図２】
2005026852.tif 000004
【図３】
2005026852.tif 000005
【図４】
2005026852.tif 000006
【図５】
2005026852.tif 000007